(57)【要約】【課題】物入装置本体の内部へ張出さないようにロック機構を設置することができるようにする。【解決手段】ロック機構６が、ストッパアーム１２に一端部を軸支されて物入装置本体２の外側面に沿って延びるロック用アーム部材２０と、ロック用アーム部材２０を押さえることにより蓋体５の動きを間接的に固定可能なリンクアーム押付固定装置２４と、リンクアーム押付固定装置２４による押付固定状態を解除可能なロック解除スイッチ部３１とを備えるようにしている。【選択図】図１
2008068637.tif 000002
【特許請求の範囲】
【請求項１】
物入装置本体の開口部に対し、ヒンジ部を介して、蓋体が開閉自在に取付けられ、
物入装置本体と蓋体との間に、蓋体を全閉位置にてロック・ロック解除可能なロック機構が設けられ、
物入装置本体と蓋体との側部間に、蓋体の全開位置を規制するストッパ装置が設けられ、
該ストッパ装置が、物入装置本体の開口縁部に設けられた穴部と、蓋体に設けられて前記穴部に対し出入方向へ移動自在に挿通されたストッパアームとを備え、
該ストッパアームが、物入装置本体の外側面に沿って、ヒンジ部を中心とするほぼ円弧状に延びると共に、先端部に前記穴部へ係止可能なストッパ用爪部を有する車両用物入装置において、
前記ロック機構が、前記ストッパアームに一端部を軸支されて物入装置本体の外側面に沿って延びるロック用アーム部材と、該ロック用アーム部材を押さえることにより蓋体の動きを間接的に固定可能なリンクアーム押付固定装置と、該リンクアーム押付固定装置による押付固定状態を解除可能なロック解除スイッチ部とを備えたことを特徴とする車両用物入装置。
【請求項２】
前記ロック用アーム部材の他端部近傍が、物入装置本体の外側面に形成されたガイド部に沿って移動可能に支持されたことを特徴とする請求項１記載の車両用物入装置。
【請求項３】
前記ロック用アーム部材を、中折式の屈伸リンク部材とすると共に、ロック用アーム部材の他端部が、物入装置本体の外側面に回動可能に軸支固定されたことを特徴とする請求項１記載の車両用物入装置。
【発明の詳細な説明】
【技術分野】
【０００１】
この発明は、車両用物入装置に関するものである。
【背景技術】
【０００２】
自動車などの車両には、車室内に各種の物入装置が設けられている。このような物入装置の中には、物入装置本体の開口部に対し、ヒンジ部を介して、蓋体が開閉自在に取付けられ、物入装置本体と蓋体との間に、蓋体を全閉位置にてロック・ロック解除可能なロック機構が設けられ、物入装置本体と蓋体との側部間に、蓋体の全開位置を規制するストッパ装置が設けられたものが存在する。
【０００３】
上記ストッパ装置は、物入装置本体の開口縁部に設けられた穴部と、蓋体に設けられてこの穴部に対し出入方向へ移動自在に挿通されたストッパアームとを備えている。そして、ストッパアームは、物入装置本体の外側面に沿って、ヒンジ部を中心とするほぼ円弧状に延びると共に、先端部に穴部に対するストッパ用爪部を有している。このような物入装置としては、例えば、インストルメントパネルの助手席側の部分に設けられるグローブボックスなどが挙げられる（例えば、特許文献１参照）。
【特許文献１】特開平０７−６１３０７号公報
【発明の開示】
【発明が解決しようとする課題】
【０００４】
しかしながら、グローブボックスなどの物入装置では、通常、ロック機構が、物入装置本体の内部へ張出すように設けられていたので、その分、物入装置本体の容量が減少されたり、物入装置本体の開口部廻りや蓋体の裏面などが複雑形状となって物がすっきり収納できないなどの問題があった。
【０００５】
また、ロック機構には、通常、爪係止式のものが用いられるが、爪係止式のロック機構は、構造が複雑であるなどの問題があった。
【課題を解決するための手段】
【０００６】
上記課題を解決するために、請求項１に記載された発明では、物入装置本体の開口部に対し、ヒンジ部を介して、蓋体が開閉自在に取付けられ、物入装置本体と蓋体との間に、蓋体を全閉位置にてロック・ロック解除可能なロック機構が設けられ、物入装置本体と蓋体との側部間に、蓋体の全開位置を規制するストッパ装置が設けられ、該ストッパ装置が、物入装置本体の開口縁部に設けられた穴部と、蓋体に設けられて前記穴部に対し出入方向へ移動自在に挿通されたストッパアームとを備え、該ストッパアームが、物入装置本体の外側面に沿って、ヒンジ部を中心とするほぼ円弧状に延びると共に、先端部に前記穴部へ係止可能なストッパ用爪部を有する車両用物入装置において、前記ロック機構が、前記ストッパアームに一端部を軸支されて物入装置本体の外側面に沿って延びるロック用アーム部材と、該ロック用アーム部材を押さえることにより蓋体の動きを間接的に固定可能なリンクアーム押付固定装置と、該リンクアーム押付固定装置による押付固定状態を解除可能なロック解除スイッチ部とを備えたことを特徴としている。
【０００７】
請求項２に記載された発明では、前記ロック用アーム部材の他端部近傍が、物入装置本体の外側面に形成されたガイド部に沿って移動可能に支持されたことを特徴としている。
【０００８】
請求項３に記載された発明では、前記ロック用アーム部材を、中折式の屈伸リンク部材とすると共に、ロック用アーム部材の他端部が、物入装置本体の外側面に回動可能に軸支固定されたことを特徴としている。
【発明の効果】
【０００９】
請求項１の発明によれば、前記ロック機構が、前記ストッパアームに一端部を軸支されて物入装置本体の外側面に沿って延びるロック用アーム部材と、該ロック用アーム部材を押さえることにより蓋体の動きを間接的に固定可能なリンクアーム押付固定装置と、該リンクアーム押付固定装置による押付固定状態を解除可能なロック解除スイッチ部とを備えたことにより、物入装置本体の内部へ張出さないようにロック機構を設置することができるようになる。これにより、物入装置本体の容量を拡大することや、物入装置本体に物をすっきり収納することが可能となる。また、爪係止式のロック機構を採用していないので、構造を簡略化することができる。
【００１０】
請求項２の発明によれば、前記ロック用アーム部材の他端部近傍が、物入装置本体の外側面に形成されたガイド部に沿って移動可能に支持されたことにより、蓋体の動きを間接的に固定することが可能になると共に、構成の簡略化やこれに伴うコスト削減などを得ることができる。
【００１１】
請求項３の発明によれば、前記ロック用アーム部材を、中折式の屈伸リンク部材とすると共に、ロック用アーム部材の他端部が、物入装置本体の外側面に回動可能に軸支固定されたことにより、蓋体の動きを間接的に固定することが可能になると共に、設計自由度が高くなるので、蓋体の動きや固定に対する品質感を高めることが可能となる。
【発明を実施するための最良の形態】
【００１２】
以下、本発明を具体化した実施例について、図示例と共に説明する。
【実施例１】
【００１３】
図１〜図４は、この発明の実施例１を示すものである。
【００１４】
まず、構成について説明する。
【００１５】
・物入装置の構成
図１に示すように、自動車などの車両に対し、車室内に物入装置１が設けられる。この物入装置１では、物入装置本体２の開口部３に対し、ヒンジ部４を介して、蓋体５が開閉自在に取付けられている。また、物入装置本体２と蓋体５との間に、蓋体５を全閉位置にてロック・ロック解除可能なロック機構６が設けられている。そして、物入装置本体２と蓋体５との側部間に、蓋体５の全開位置を規制するストッパ装置７が設けられている。
【００１６】
ここで、物入装置本体２は、手前面に開口部３を有し、奥面と上下左右の面とが塞がれた樹脂製の箱体とされている。開口部３の周囲には、フランジ部が一体に設けられて開口縁部８を構成している。開口部３は、正面視ほぼ矩形状とされている。ヒンジ部４は、開口縁部８と蓋体５とのほぼ下辺部間に設けられている。ヒンジ部４は、ヒンジ軸の軸線方向が、物入装置本体２のほぼ幅方向（以下、単に幅方向と言う）へ向けられている。蓋体５は、下辺部に設けられたヒンジ部４を中心として下開きし得るように取付けられている。蓋体５は、開口縁部８とほぼ同じ大きさの正面視ほぼ矩形状に形成されている。蓋体５は樹脂製などとされている。
【００１７】
上記ストッパ装置７は、物入装置本体２の開口縁部８に設けられた穴部１１と、蓋体５に設けられてこの穴部１１に対し出入方向へ移動自在に挿通配置されたストッパアーム１２とを備えている。そして、ストッパアーム１２は、物入装置本体２の外側面に沿って、ヒンジ部４を中心とするほぼ円弧状に延びると共に、その先端部に穴部１１へ係止可能なストッパ用爪部１３を有している。
【００１８】
この場合、ヒンジ部４が下側にあるので、ストッパアーム１２は上に凸の円弧状を呈している。穴部１１およびストッパアーム１２は、開口縁部８および蓋体５の両側部の上下方向ほぼ中間位置に設けられている。ストッパアーム１２は、蓋体５の裏面側から一体に延設形成されている。ストッパ用爪部１３は、ストッパアーム１２の上側縁部側から突出されて穴部１１の上縁部に係止可能なものとされている。
【００１９】
このような物入装置１としては、例えば、インストルメントパネル１５の助手席側の部分に設けられるグローブボックス１６などが挙げられる。グローブボックス１６の場合、インストルメントパネル１５の助手席側の部分に形成された取付用開口部１７に挿入配置され、スクリュウなどの締結部材で固定される。この際、蓋体５は、インストルメントパネル１５の表面とほぼ面一になるように設定される。ここでは、取付用開口部１７はインストルメントパネル１５の下側の位置に設けられており、この部分は傾斜しているので、蓋体５もこの傾斜に合わせて傾斜されている。なお、蓋体５は、奥側へ進むに従い下方へ向かう下り勾配の傾斜とされている。蓋体５は、平坦面とされているが、曲面であっても良い。この蓋体５は、自重によって開くように、重さや重量配分などを設定されている。
【００２０】
以上は、以下の実施例においても共通な物入装置１の基本構成である。
【００２１】
・ロック機構の構成
以上のような物入装置１の基本構成に対し、ロック機構６が、ストッパアーム１２に一端部を軸支されて物入装置本体２の外側面に沿って延びるロック用アーム部材２０を備えている。ストッパアーム１２とロック用アーム部材２０の一端部との間は、幅方向へ延びる支軸２２によって回動可能に軸着されている。
【００２２】
また、ロック機構６は、ロック用アーム部材２０を押さえることにより蓋体５の動きを間接的に固定可能なリンクアーム押付固定装置２４を備えている。即ち、ロック機構６は、爪係止式のものではなく、押付固定式のものとされている。
【００２３】
更に、ロック機構６は、上記した主要部の他に、リンクアーム押付固定装置２４による押付固定状態を解除可能なロック解除スイッチ部３１を備えている。
【００２４】
以上は、以下の実施例においても共通するロック機構６の構成である。
【００２５】
・この実施例におけるロック機構のより具体的な構成
リンクアーム押付固定装置２４は、この場合、ロック用アーム部材２０を押さえる押付固定用部材２５と、この押付固定用部材２５をロック用アーム部材２０に対する押さえ方向へ付勢する押付用付勢手段２６とを備えている。
【００２６】
ここでは、リンクアーム押付固定装置２４は、揺動式のものとされている。即ち、押付固定用部材２５は、ほぼ上下方向（若干後傾されている）へ伸びる揺動レバーとされている。この押付固定用部材２５は、ロック用アーム部材２０の上側面側に配置されている。そして、押付固定用部材２５は、上端部を、幅方向へ延びる揺動中心軸２７によって、物入装置本体２の上部に設けられた図示しないブラケットなどに揺動可能に軸支されている。
【００２７】
そして、押付用付勢手段２６は、押付固定用部材２５と物入装置本体２との間に介装される。この押付用付勢手段２６は、コイル部を揺動中心軸２７に外嵌され、一端部を押付固定用部材２５に係止され、他端部を物入装置本体２に係止された捩りバネ（トーションスプリング）などとされている。この捩りバネは、押付固定用部材２５の下端部を、ロック用アーム部材２０の他端側へ向けて揺動させる方向への弾性力を蓄積した状態で設置される。これにより、押付固定用部材２５の下端部は、ロック用アーム部材２０の上側面部分に対し、上側から圧接可能な状態に配置され、蓋体５の自重によってゆっくりと開閉方向に摺接移動する。
なお、押付固定用部材２５の下端部に対して、ロック用アーム部材２０の上側面部分などの形状に倣うフォロワ２８を取付けるようにしても良い。
【００２８】
更に、ロック解除スイッチ部３１は、押付固定用部材２５を押付用付勢手段２６の付勢方向とはほぼ反対の側へ押し外すスイッチレバー３２と、このスイッチレバー３２を操作前の状態に復帰させる復帰用弾性体３３とを備えている。
【００２９】
ここで、スイッチレバー３２は、手前側から奥側へ向けほぼ前後方向に延設される。このスイッチレバー３２は、手前側の端部に手動操作するための操作ボタン部３４を有し、奥側の端部に押付固定用部材２５の中間部を奥側へ向けて直接押すための押圧用端部３５を有している。
【００３０】
スイッチレバー３２は、物入装置本体２の上部に設けられたブラケット３６に、その中間部をほぼ前後方向へ移動可能に挿通配置されている。スイッチレバー３２にはブラケット３６よりも手前側の部分にフランジ３７が形成されている。復帰用弾性体３３は、このフランジ３７とブラケット３６との間に介装される。この復帰用弾性体３３は、スイッチレバー３２の上記部分に外嵌されるコイルバネなどとされている。このコイルバネは、圧縮バネとして圧縮状態で設置される。このコイルバネにより、スイッチレバー３２は、手間へ側へ向けて付勢される。
【００３１】
また、スイッチレバー３２は、インストルメントパネル１５の取付用開口部１７よりも僅かに上方の位置に形成された凹部３８に対し、フランジ３７よりも手前側の部分が貫通配置されている。スイッチレバー３２の手前側端部は、操作ボタン部３４とされており、この操作ボタン部３４は凹部３８内に配置されている。そして、スイッチレバー３２は、上記したフランジ３７が凹部３８の裏面に当ることによってそれ以上手前側へ移動しないように位置が規制されるようになっている。
【００３２】
なお、物入装置本体２とロック用アーム部材２０との間に、蓋体５の開速度または閉速度を減衰可能なダンパ装置３９を設けるようにすると、より好ましい。この場合、減衰可能の先端部は、ロック用アーム部材２０の他端部またはその近傍の下側面部に当るように構成されている。
【００３３】
以上は、この実施例におけるロック機構６のより具体的な構成であるが、以下の実施例に適用することも可能である。
【００３４】
・この実施例に特有のロック機構６の構成
この実施例では、ロック用アーム部材２０は、他端側が手前側斜め上方へ向けてほぼ直線的に延設される１本のアーム部材２１とされている。ロック用アーム部材２０を構成するアーム部材２１は、蓋体５の全閉時には、前後方向を基準としてほぼ４５度程度の角度またはそれ以下の角度（若干寝た角度）となり、蓋体５の少なくとも開き始めには、角度が大きくなって行く（立上がって行く）ように設置されている。
【００３５】
そして、図２に示すように、ロック用アーム部材２０の他端部近傍が、物入装置本体２の外側面に形成されたガイド部４１に沿って移動可能に支持されるように構成する。即ち、ロック用アーム部材２０の他端部よりも所要の距離だけ内寄り（一端部寄り）の位置を、ガイド部４１に沿った移動のみが可能な半拘束状態で支持させるようにする。
【００３６】
ガイド部４１は、物入装置本体２の外側面に形成された長孔などとしても良いが、この場合には、物入装置本体２の外側面から、平面視ほぼＬ字状の突条部を一定間隔のスリット部を有して向い合せに突設してなるガイド溝部４２とされている。このガイド溝部４２は、この場合、ほぼ上下方向へ延びる直線形状または円弧形状などとされている。
【００３７】
このガイド溝部４２には、スライド体４３がスライド可能に嵌着されており、このスライド体４３からスリット部を通して幅方向外方へスライド軸部４４が延設され、このスライド軸部４４にロック用アーム部材２０の他端部近傍が回動自在に軸支されている。このスライド軸部４４は、この場合、スリット部に沿ってスライド可能なスライド軸とされている。このスライド軸部４４は、ガタ付きのないように、スリット部とほぼ等しい径寸法に形成されている。なお、スライド軸部４４が、ガイド溝部４２の下端部に位置した状態で、押付固定用部材２５でロック用アーム部材２０を押さえることにより、ロックがかかるように設定する。
【００３８】
ここで、押付固定用部材２５は、ロック用アーム部材２０のどこを押さえても良いが、小さな押さえ力でより大きな固定効果を得られるようにするために、好ましくは、ロック用アーム部材２０の他端部におけるスライド軸部４４の軸支位置よりも、他端部寄りの位置を押付固定用部材２５にて押さえるようにする。即ち、ロック用アーム部材２０におけるスライド軸部４４の取付位置の近傍から他端部側の位置にかけて、押付固定用部材２５による押さえ領域２０ａを設定する。
【００３９】
次に、この実施例の作用について説明する。
【００４０】
図１に示すように、蓋体５が閉じ、ロック機構６によるロックがかかった状態で、図３に示すように、ロックを解除すると、自重などによりヒンジ部４を中心として蓋体５が開方向へ回動し、図４に示すように、開口部３が露出されて、物入装置本体２に対する物の出し入れができるようになる。
【００４１】
この際、物入装置本体２と蓋体５との側部間に設けられたストッパ装置７が、蓋体５の全開位置を規制する。蓋体５の全開位置の規制は、ストッパアーム１２に形成されたストッパ用爪部１３が、開口縁部８に形成された穴部１１の上縁部に係止されることによって行われる。
【００４２】
反対に、蓋体５が開いた状態から、ヒンジ部４を中心として蓋体５を閉方向へ回動し、開口部３を閉じると、ロック機構６によるロックがかかり、物入装置本体２に対して物の出し入れができないようになり、物入装置本体２に物が収納される。
【００４３】
以上が、グローブボックス１６などの物入装置１における共通の作動である。
【００４４】
そして、ロック機構６は、以下のように機能する。即ち、ストッパアーム１２に一端部を軸支されたロック用アーム部材２０の他端部を、リンクアーム押付固定装置２４が押さえることにより、蓋体５の動きを間接的に固定する。これにより、ロックがかかった状態となる。
【００４５】
この状態で、ロック解除スイッチ部３１を操作し、リンクアーム押付固定装置２４による、ロック用アーム部材２０の他端部に対する押付固定状態を解除すると、ロック用アーム部材２０の他端部が自由になり、ロックが解除されるので、蓋体５が開く。なお、蓋体５を閉じると、上記したロックがかかった状態に自動的に戻される。
【００４６】
以上が、このロック機構６における共通の作動である。
【００４７】
より具体的には、図１に示すように、ロックがかかった状態で、図３に示すように、スイッチレバー３２手前側端部の操作ボタン部３４を、復帰用弾性体３３の弾性力に抗して、指で奥側へ押し込むと、スイッチレバー３２奥側端部の押圧用端部３５が、押付固定用部材２５の中間部を押し、押付固定用部材２５が、上端部の揺動中心軸２７を中心に、押付用付勢手段２６の付勢力に抗して、奥側へ向けて揺動される。すると、ロック用アーム部材２０の他端部に対する押付固定用部材２５の押付固定状態が解除され、ロック用アーム部材２０の他端部が、動き得るようになので、図４に示すように、蓋体５は自重で開くことになる。
【００４８】
そして、スイッチレバー３２手前側端部の操作ボタン部３４から指を離すと、復帰用弾性体３３の弾性力によってスイッチレバー３２手前側端部は、手前側へ戻される。また、押付固定用部材２５は、押付用付勢手段２６の付勢力によって、スイッチレバー３２奥側端部の押圧用端部３５またはロック用アーム部材２０の他端部のどちらかに接する位置まで、上端部の揺動中心軸２７を中心に、手前側へ向けて揺動される。この状態では、蓋体５を固定するための条件が整っていないので、押付固定用部材２５がロック用アーム部材２０に圧接していても蓋体５は特に固定されない。
【００４９】
この状態から、図４、図３、図１のような順に蓋体５を閉じると、蓋体５を固定するための条件が整うので、再びロックがかかった状態となる。
【００５０】
以上が、この実施例の構成におけるより具体的なロック機構６の作動である。
【００５１】
この実施例では、特に、ロック用アーム部材２０の他端部近傍が、物入装置本体２の外側面に形成されたガイド部４１に沿って移動可能に支持されたことにより、ロック機構６は以下のように作動する。
【００５２】
即ち、ロック用アーム部材２０一端部の支軸２２は、ヒンジ部４を中心とする円弧上を閉位置から開位置まで往復移動する。一方で、ロック用アーム部材２０一端部の支軸２２は、他端部のスライド軸部４４を中心とする円運動を行う。ここで、ロック用アーム部材２０の一端部とストッパアーム１２との間は軸着によって逃げがないので、スライド軸部４４をガイド部４１のガイド溝部４２に沿いスライドさせて逃がすことで、２つの円運動を両立させ得るようにしている。よって、リンクアーム押付固定装置２４を、ロック用アーム部材２０に押付けて、スライド軸部４４がスライドできないように拘束することにより、簡単にロックがかかった状態となる。
【００５３】
この際、リンクアーム押付固定装置２４は、ガイド部４１の下端部にてスライド軸部４４のスライドを拘束するだけで良いので、押付用付勢手段２６の付勢力程度の小さな力でロックをかけることができる。
【００５４】
即ち、押付固定用部材２５によるロック用アーム部材２０（アーム部材２１）に対する固定力は、押付固定用部材２５自体の剛性による支持力や、支軸２２から押付固定用部材２５の下端部とロック用アーム部材２０との接点（力点）までの距離や、この接点に作用する押さえ方向の分力の大きさなどによってほぼ決定される。
【００５５】
ここで、図１に示すような蓋体５の全閉時には、ガイド部４１（ガイド溝部４２）の向きに対し、押付固定用部材２５の向きが、若干ずれてはいるもののほぼ等しい状態となっているため、また、押付固定用部材２５が上下動できない（揺動中心軸２７を中心とする揺動しかできない）ため、押付固定用部材２５自体の剛性を利用して上から押さえた状態が得られる。また、支軸２２から押付固定用部材２５の下端部とロック用アーム部材２０他端部との接点（力点）までの距離が長くなっているので、大きな押さえ力が得られる状態となっている。更に、ロック用アーム部材２０が寝た状態になっているので、押さえ方向に対して大きな分力を得ることができる。これらにより、大きな固定力でロックすることができる。
【００５６】
これに対し、ロック解除スイッチ部３１によってロックを外す操作をすると、図３、図４に示すように、ガイド部４１（ガイド溝部４２）の向きに対する、押付固定用部材２５の向きがずれる（両者間の角度が大きくなる）ことにより、押付固定用部材２５自体の剛性による押さえ効果が小さくなる。また、支軸２２から押付固定用部材２５の下端部とロック用アーム部材２０他端部との接点（力点）までの距離が短くなることにより、押さえ力が減少する。更に、ロック用アーム部材２０が立上がって行くことにより、押さえ方向に対する分力が小さくになる。これらにより、簡単且つ確実に固定力を解放させることができる。なお、固定力の解放させ方を最適に設定・調整することにより、ロック機構６自体に蓋体５の開速度を減衰させるダンパとしての機能を付与することも可能である。
【００５７】
このように、この実施例によれば、ロック機構６が、ストッパアーム１２に一端部を軸支されて物入装置本体２の外側面に沿って延びるロック用アーム部材２０と、ロック用アーム部材２０を押さえることにより蓋体５の動きを間接的に固定可能なリンクアーム押付固定装置２４と、リンクアーム押付固定装置２４による押付固定状態を解除可能なロック解除スイッチ部３１とを備えたことにより、物入装置本体２の内部へ張出さないようにロック機構６を設置することができるようになる。これにより、物入装置本体２の容量を拡大することや、物入装置本体２に物をすっきり収納することが可能となる。また、爪係止式のロック機構６を採用していないので、構造を簡略化することができる。
【００５８】
また、ロック用アーム部材２０の他端部近傍が、物入装置本体２の外側面に形成されたガイド部４１に沿って移動可能に支持されたことにより、蓋体５の動きを間接的に固定することが可能になると共に、構成の簡略化やこれに伴うコスト削減などを得ることができる。
【実施例２】
【００５９】
図５〜図８は、この発明を具体化した実施例２を示すものである。なお、物入装置１の基本構成、ロック機構６の共通の構成、体的なロック機構６の構成については、一部読み変えが必要となるもののほぼ同じであるので、重複を避けるために説明を省略する。但し、必要な場合には、上記の記載を以て、或いは、上記の記載に対し必要な読み変えを行ったものを以て、この実施例の記載とすることができる。また、それ以外であっても、先行する実施例と同一の符号を付してある構成については、先行する実施例と同一または均等なものとして取り扱うものとし、その説明を以てこの実施例の記載とすることができる。
【００６０】
この実施例２のものでは、ロック用アーム部材２０を、中折式の屈伸リンク部材４９とすると共に、ロック用アーム部材２０の他端部が、物入装置本体２の外側面に回動可能に軸支固定されるようにする。
【００６１】
ここで、屈伸リンク部材４９は、実施例１のアーム部材２１と同様のリンクアーム５０と、サブリンクアーム５１とで構成する。ロック用アーム部材２０の屈伸リンク部材４９を構成するリンクアーム５０は、蓋体５の全閉時には、前後方向を基準としてほぼ４５度程度の角度またはそれ以下の角度（若干寝た角度）となり、蓋体５の少なくとも開き始めには、角度が大きくなって行く（立上がって行く）ように設置されている。リンクアーム５０の他端部近傍と、サブリンクアーム５１の一端部との間は、幅方向へ延びる連結軸５２で軸着される。この連結軸５２は、実施例１のスライド軸部４４とは異なって、フリーとする。サブリンクアーム５１の他端部と物入装置本体２の外側面との間は、幅方向へ延びる取付軸５３で軸支・取付けされる。取付軸５３の取付位置は、物入装置本体２の上縁部近傍などとする。そして、中折式の屈伸リンク部材４９は、最大伸長時（蓋体５の閉時）に、直線形状や谷形状ではなく、支軸２２と取付軸５３とを結ぶ線よりも連結軸５２が上側に位置するへ字状の山型形状となるようにする。そのために、図示しないストッパを設ける。或いは、ダンパ装置３９をストッパとして用いるようにする。
【００６２】
ここで、押付固定用部材２５は、ロック用アーム部材２０のどこを押さえても良いが、小さな押さえ力でより大きな固定効果を得られるようにするために、好ましくは、リンクアーム５０の他端部における連結軸５２の連結位置よりも、他端部寄りの位置を押付固定用部材２５にて押さえるようにする。即ち、リンクアーム５０における連結軸５２の取付位置の近傍から他端部側の位置にかけて、押付固定用部材２５による押さえ領域２０ａを設定する。
【００６３】
なお、この実施例２では、リンクアーム押付固定装置２４を、若干変えてスライド式としている。
【００６４】
即ち、押付固定用部材２５は、物入装置本体２の上部に設けられたブラケット５５から前後方向の手前側へ延びるガイド軸５６に前後方向へ往復移動可能に嵌挿されたスライド体とされている。そして、押付用付勢手段２６は、押付固定用部材２５と物入装置本体２に設けられたブラケット５５との間に介装されている。この押付用付勢手段２６は、ガイド軸５６に外嵌されたコイルバネなどとされている。このコイルバネは、圧縮バネとして圧縮状態で介装される。そして、押付固定用部材２５からは、下方へ向けて、ロック用アーム部材２０の上側面部分に対し、上側から圧接可能な押圧部５８が突設され、蓋体５の自重によってゆっくりと開閉方向に摺接移動する。なお、この押圧部５８に対して、ロック用アーム部材２０の他端部近傍の形状に倣うフォロワ２８を取付けるようにしても良い。
【００６５】
なお、上記実施例１における揺動式のリンクアーム押付固定装置２４と、この実施例２におけるスライド式のリンクアーム押付固定装置２４とは、逆にしても良い。
【００６６】
次に、この実施例２の作用について説明する。
【００６７】
グローブボックス１６などの物入装置１における共通の作動、ロック機構６における共通の作動、具体的なロック機構６の作動については、一部読み変えが必要となるもののほぼ同じとなるので、重複を避けるため記載を省略する。但し、必要な場合には、上記の記載を以て、或いは、上記の記載に対し必要な読み変えを行ったものを以て、この実施例の記載とすることができる。
【００６８】
この実施例では、ロック用アーム部材２０を、中折式の屈伸リンク部材４９とすると共に、ロック用アーム部材２０の他端部が、物入装置本体２の外側面に回動可能に軸支固定されるようにしたことにより、以下のように作動する。
【００６９】
即ち、ロック用アーム部材２０一端部の支軸２２は、ヒンジ部４を中心とする円弧上を閉位置から開位置まで往復移動する。この際に、ロック用アーム部材２０両端の支軸２２と取付軸５３とは、その間隔が変化されることになるが、ロック用アーム部材２０は、屈伸リンク部材４９となっているため、屈伸することによってこの間隔の変化を許容する。そこで、リンクアーム押付固定装置２４でロック用アーム部材２０を押さえて、屈伸リンク部材４９が屈伸できないよう拘束することにより、簡単にロックがかかった状態となる。
【００７０】
この際、リンクアーム押付固定装置２４は、最大伸長状態となっている屈伸リンク部材４９の、屈伸による間隔の変化を阻止するだけで良いので、押付用付勢手段２６の付勢力程度の小さな力でロックをかけることが可能となる。
【００７１】
即ち、押付固定用部材２５によるロック用アーム部材２０（屈伸リンク部材４９）のリンクアーム５０に対する固定力は、押付固定用部材２５自体の剛性による支持力や、支軸２２から押付固定用部材２５の押圧部５８とリンクアーム５０との接点（力点）までの距離や、この接点に作用する押さえ方向の分力の大きさなどによってほぼ決定される。
【００７２】
ここで、図５に示すような蓋体５の全閉時には、支軸２２から押付固定用部材２５の押圧部５８とロック用アーム部材２０他端部との接点（力点）までの距離が長くなっているので、大きな押さえ力が得られる状態となっている。更に、ロック用アーム部材２０が寝た状態になっているので、押さえ方向に対して大きな分力を得ることができる。これらにより、大きな固定力でロックすることができる。
【００７３】
これに対し、ロック解除スイッチ部３１によってロックを外す操作をすると、図７、図８に示すように、支軸２２から押付固定用部材２５の押圧部５８とロック用アーム部材２０他端部との接点（力点）までの距離が短くなることにより、押さえ力が減少した状態となる。また、ロック用アーム部材２０が立上がって行くことにより、押さえ方向に対する分力が減少された状態となる。これらにより、簡単且つ確実に固定力を解放させることができる。なお、固定力の解放させ方を最適に設定・調整することにより、ロック機構６自体に蓋体５の開速度を減衰させるダンパとしての機能を付与することも可能である。
【００７４】
このように、この実施例によれば、ロック用アーム部材２０を、中折式の屈伸リンク部材４９とすると共に、ロック用アーム部材２０の他端部が、物入装置本体２の外側面に回動可能に軸支固定されるようにしたことにより、蓋体５の動きを間接的に固定することが可能になると共に、設計自由度が高くなるので、蓋体５の動きや固定に対する品質感を高めることが可能となる。
【００７５】
上記以外の部分については、上記実施例と同様の構成を備えており、同様の作用・効果を得ることができる。記載を省略した部分についての詳細は、上記実施例の説明を以てこの実施例の説明とすることができる。
【００７６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。例えば、各実施例に複数の構成が含まれている場合には、これらの構成の可能な組合せが含まれることは勿論である。また、複数の実施例や変形例が示されている場合には、これらに跨がった構成の組合せのうちの可能なものが含まれることは勿論である。
【図面の簡単な説明】
【００７７】
【図１】本発明の実施例１にかかる車両用物入装置の側方断面図である。
【図２】図１の斜視図である。
【図３】図１のロック解除操作時の作動図である。
【図４】図１の開状態の作動図である。
【図５】本発明の実施例２にかかる車両用物入装置の側方断面図である。
【図６】図５の斜視図である。
【図７】図５のロック解除操作時の作動図である。
【図８】図５の開状態の作動図である。
【符号の説明】
【００７８】
２    物入装置本体
３    開口部
４    ヒンジ部
５    蓋体
６    ロック機構
７    ストッパ装置
８    開口縁部
１１  穴部
１２  ストッパアーム
１３  ストッパ用爪部
２０  ロック用アーム部材
２４  リンクアーム押付固定装置
３１  ロック解除スイッチ部
４１  ガイド部
４９  屈伸リンク部材
【図１】
2008068637.tif 000003
【図２】
2008068637.tif 000004
【図３】
2008068637.tif 000005
【図４】
2008068637.tif 000006
【図５】
2008068637.tif 000007
【図６】
2008068637.tif 000008
【図７】
2008068637.tif 000009
【図８】
2008068637.tif 000010